(57)【要約】      （修正有）【課題】携帯工具を確実に保持する一方で右利き、左利きにかかわりなく簡単な動作で持って取り外しできる使い勝手のよい携帯工具用のホルダを提案する。【解決手段】ブラケット１と、このブラケットを着脱自在に差し込む収納空間を有し該ブラケットを介して携帯工具を係止保持するホルダ本体２とを備えた携帯工具用ホルダにおいて、ホルダ本体の収納空間に、ブラケットの少なくとも両側端縁をそれぞれガイドしてブラケットの差込みを誘導する一対の溝部を設け、この各溝部の何れか一方に、弾性部材５にて支持され該溝部の壁面を通り抜けてブラケットの縁部の一端に係合してその引抜きを阻止するが、弾性部材の弾性力に抗するボタン６の押圧動作にてその係合を解除して引抜きを可とする係合突起４を配置し、もう一方の溝部はその背面に、弾性部材、係合突起及びボタンの配置転換による組替えを可能とする格納部７を設ける。【選択図】図３
2005144602.tif 000002
【特許請求の範囲】
【請求項１】
携帯工具に固定保持するブラケットと、このブラケットを着脱自在に差し込む収納空間を有するホルダ本体とを備えた携帯工具用ホルダであって、
前記ホルダ本体の収納空間に、前記ブラケットの少なくとも両側端縁をそれぞれガイドしてブラケットの差し込みを誘導する一対の溝部を設け、
この各溝部の何れか一方に、弾性部材にて支持され該溝部の壁面を通り抜けてブラケットの縁部の一端に係合してその引抜きを阻止するが、前記弾性部材の弾性力に抗するボタンの押圧動作にてその係合を解除して引抜きを可とする係合突起を配置し、
もう一方の溝部はその背面に、前記弾性部材、係合突起及びボタンの配置転換による組替えを可能とする格納部を有することを特徴とする携帯工具用ホルダ。
【請求項２】
前記収納空間は、ブラケットの差し込みに際してその先端に当接して位置決めを行うストッパーを有する請求項１記載の携帯工具用ホルダ。
【請求項３】
前記ブラケットはその両側端縁にそれぞれ係合突起の先端部を入れ込む切り欠部を有する請求項１又は２記載の携帯工具用ホルダ。
【発明の詳細な説明】
【技術分野】
【０００１】
本発明は、建設現場等において使用される巻き尺などの携帯工具を着脱自在に保持するホルダに関するものであり、該携帯工具の収納、取り出しを簡便な操作のもとに行おうとするものである。
【背景技術】
【０００２】
携帯工具は、持ち運びが容易で、その使用に際しては簡単に取り出すことができるように作業者のベルトに直接引っ掛けて挟持するクリップの如き保持機構を備えたものが一般的になっている。
【０００３】
ところで、クリップのような保持機構を有する工具は、その挟持力が一定であることからベルトの厚さが厚い場合にはその着脱が容易でなく、逆にベルトの厚さが薄い場合には作業者の姿勢によっては簡単にずれたり抜け落ちる等の不具合があった。
【０００４】
上記のような不具合を解消したものとしては、ホルダ本体と差込体とを組合せ該差込体をホルダ本体に差し込むことによって工具を着脱自在に保持するものが（例えば特許文献１参照）知られており、ベルトの厚さにかかわりなくホルダそのものを安定に保持できるようになってきてはいるが、この構造のものは、ホルダ体から工具を取り外す際に、差込体に設けられた２本のアームを握りつつ工具本体を上方にスライドさせる必要があることから作業者は不自然な持ち方を余儀なくされるため使い勝手が悪く、しかも、作業中に過って工具を落下させた場合にアームが簡単に破損してしまうおそれがあり、未だ改善の余地が残されていた。
【０００５】
このような問題を課題解決としてさらに改良を重ねた構造のものとしては、携帯工具を固定保持する差込みブラケットとこの差込みブラケットを係合させるホルダ本体とを組合せてボタンひとつで取り外し操作を行えるようにするとともに収納状態での脱落を確実に回避したホルダ（例えば特許文献２参照）が提案されている（例えば特許文献２参照）。
【０００６】
しかしながら、このホルダは作業者が右利き（または左利き）の場合を想定してボタンの位置と操作方向が定められているため、利き手が逆の作業者にとっては携帯工具の着脱に際して円滑に操作しにくいという状況が想定された。
【特許文献１】特許第２７５６７８３号公報
【特許文献２】特開２００３−１２７０７２号公報
【発明の開示】
【発明が解決しようとする課題】
【０００７】
本発明の課題は、携帯工具の収納、取り出しを簡便な操作のもとに行うことが可能であり、かつ使用者の利き手が左右のどちらであっても操作のしやすい位置にボタンを付け替えできる使い勝手の良い新規な携帯工具用ホルダを提案するところにある。
【課題を解決するための手段】
【０００８】
本発明は、携帯工具に固定保持するブラケットと、このブラケットを着脱自在に差し込む収納空間を有するホルダ本体とを備えた携帯工具用ホルダであって、
前記ホルダ本体の収納空間に、前記ブラケットの少なくとも両側端縁をそれぞれガイドしてブラケットの差し込みを誘導する一対の溝部を設け、
この各溝部の何れか一方に、弾性部材にて支持され該溝部の壁面を通り抜けてブラケットの縁部の一端に係合してその引抜きを阻止するが、前記弾性部材の弾性力に抗するボタンの押圧動作にてその係合を解除して引抜きを可とする係合突起を配置し、
もう一方の溝部はその背面に、前記弾性部材、係合突起及びボタンの配置転換による組替えを可能とする格納部を有することを特徴とする携帯工具用ホルダである。
【０００９】
上記の構成になるホルダにおいて前記収納空間は、ブラケットの差し込みに際してその先端に当接して位置決めを行うストッパーを有するのが好ましい。
【００１０】
また、前記ブラケットはその両側端縁にそれぞれ係合突起の先端部を入れ込む切り欠部を有するものが望ましい。
【発明の効果】
【００１１】
ブラケットを格納部に差し込むだけで携帯工具をホルダに強固に係止しておくことが可能であり、逆に、ボタンの押圧と引抜き動作のみで簡単に取り外しができる。
【００１２】
また、作業者の利き手に合わせて操作ボタンの組み合えができるので使い勝手がよい。
【発明を実施するための最良の形態】
【００１３】
以下、図面を参照して本発明をより具体的に説明する。
図１（ａ）〜（ｄ）、図２（ａ）〜（ｃ）、図３及び図４は本発明に従う携帯工具用ホルダの実施の形態を示したものであり、図１（ａ）はホルダの正面図、（ｂ）は左側面図、（ｃ）は平面図、（ｄ）は底面図である。また、図２（ａ）はホルダの背面図、（ｂ）は左側面図、（ｃ）は（ｂ）のＡ−Ａ断面図であり、図３はホルダの分解状態で示した外観斜視図、そして図４は携帯工具の取り付け状況を示した図である。
【００１４】
図における１は携帯工具Ｍ（図４参照）をねじ止め等によって固定保持するブラケット、２はブラケット１を着脱自在に差し込むＵ字状の収納空間Ｋを有し該ブラケット１を介して携帯工具を係止保持するホルダ本体である。このホルダ本体２はこの例では、ケース２ａとこのケース２ａに合わさって内部空間を形成する蓋体２ｂからなる（図３参照）。
【００１５】
また、３ａ、３ｂはホルダ本体２の収納空間Ｋに設けられた対向配置になる一対の溝部（図１（ｃ）、図２（ｃ）参照）であり、この溝部３ａ、３ｂはケース２ａと蓋体２ｂの組合せにて形成されるものでブラケット１の両側端縁をガイドして該ブラケット１の差込みを誘導する。
【００１６】
また、４は溝部３ａに設けられた係合突起である（図２（ｃ）、図３参照）。この係合突起４はその基部４ａとともにスプリング等の弾性部材５にて支持されており溝部３ａの壁面を通り抜けてブラケット１の縁部に設けられた切り欠部１ａに係合してその引抜きを阻止するが、該弾性部材５の弾性力に抗するボタン６の押圧動作にてその係合を解除して引抜きを可とする。
【００１７】
また、７はもう一方の溝部３ｂの背面に設けられた格納部（図２（ｃ）参照）であり、この格納部７は着脱式のカバー８によって通常は密閉状態にあるが、弾性部材５、係合突起４及びボタン６を組み替えて配置転換することができるようになっている。
【００１８】
さらに９はブラケット１の差し込みに際してその先端に当接させて位置決めを行うストッパー（図２（ｃ）、図３参照）、１０はケース１ａの背部に一体形成されベルトを通す開口を形成する枠体、１１は係合突起４の保持用枢支ピン（図２（ｃ）、図３参照）、１２はボタン６の保持用枢支ピン（図２（ｃ）、図３参照）である。
【００１９】
ブラケット１はその先端が先細り形状になっており、図４に示す如く該ブラケット１をホルダ本体２の上方から溝部３ａ、３ｂに沿って差し込んでいくと係合突起４はブラケット１の端縁で溝部３ａの背面側へと押し込まれブラケット１は収納空間Ｋの奥底までスムーズに誘導されていく。
【００２０】
ブラケット１の先端がストッパー９に当接すると同時に係合突起４はブラケット１の端縁に設けられた切り欠部１ａに嵌まり込みこれによりブラケット１を引き抜こうとしても引き抜くことができなくなりホルダ本体２に確実に係合、保持される。
【００２１】
ブラケット１を引き抜くに当たってはボタン６を弾性部材５の弾性力に抗して押圧する。すると係合突起４は溝部４ａの壁面の内側へと後退して係合が解除されるのでそれを上方に向けて引き上げるのみでよい。
【００２２】
上掲図１〜４に示したホルダは、ブラケット１に連結する巻き尺の如き携帯工具を右手の拇指、示指、中指で把持し薬指、小指でボタン６を押圧して取り外すことができる右利きの作業者にとって有利な構成になっているが、ホルダ本体２の蓋体２ｂ及びカバー８をケース２ａから取り外し、ボタン６、弾性部材５、係合突起４をそれぞれ収納部７に組み換えることで左利きの作業者にとっても使い易いホルダに変更し得る。
【００２３】
図５は本発明に従うホルダの他の実施の形態を示した図（図２（ｃ）と同じ断面で表示）である。
【００２４】
この例は、ボタン６の押圧動作で枢支ピン１３を支点に揺動させて係合突起４を溝部４ａの背面に後退させる一対のアーム１４を配置した構造のものである。
【００２５】
図示のようなアーム１４を配置すると係合突起４を直線的にスライドさせることができるので係合突起４の係合とその解除を確実に行うことができる。
【００２６】
本発明に従うホルダは部材を相互に連結するねじを除いて合成樹脂にて構成できるが、その材質についてはとくに限定されない。
【００２７】
また、本発明の実施形態ではホルダ本体２をケース２ａと蓋体２ｂとで構成し  これをねじ止めして一体化する例として示したが、これは一体成形品であってもよく、ブラケット１は実施の形態で示したような別体形式の他に携帯工具に一体的に備えられたものであってもよい。
【産業上の利用可能性】
【００２８】
携帯工具を確実に係止でき、かつ、簡単な動作でもって取り外しできる使い勝手のよいホルダを提供できる。  
【図面の簡単な説明】
【００２９】
【図１】（ａ）〜（ｄ）は本発明に従うホルダの実施の形態を示した図であり、（ａ）は正面図、（ｂ）は左側面図、（ｃ）は平面図、（ｄ）は底面図である。
【図２】（ａ）〜（ｃ）は図１のホルダを示した図であり、（ａ）は背面図、（ｂ）は左側面図、（ｃ）はＡ−Ａ断面図である。
【図３】図１、図２に示したホルダの分解状態で示した外観斜視図である。
【図４】携帯工具の取り付け状況を示した図である。
【図５】本発明に従うホルダの他の実施の形態を示した図である。
【符号の説明】
【００３０】
１  ブラケット
１ａ  切り欠部
１ｂ  切り欠部
２  ホルダ本体
２ａ  ケース
２ｂ  蓋体
３ａ  溝部
３ｂ  溝部
４  係合突起
４ａ  基部
５  弾性部材
６  ボタン
７  格納部
８  カバー
９  ストッパー
１０  枠体
１１  枢支ピン
１２  枢支ピン
【図１】
2005144602.tif 000003
【図２】
2005144602.tif 000004
【図３】
2005144602.tif 000005
【図４】
2005144602.tif 000006
【図５】
2005144602.tif 000007